(57)【要約】【課題】冷媒回路に不均化反応を起こす性質のフッ化炭化水素を含む冷媒が冷凍機油とともに封入された冷凍装置において、不均化反応を起こすおそれを少なくして、安定した運転を行えるようにする。【解決手段】冷凍装置（１）の冷媒回路（１０）は、冷凍機油を溜める油溜まり部（２１ｂ）と、圧縮機（２１）の吐出側における冷媒が不均化反応を起こす前の条件を満たす場合に油溜まり部（２１ｂ）に溜まった冷凍機油を油冷却器（４４）で冷却して圧縮機（２１）に供給する油インジェクション回路（４１）と、を有している。【選択図】図１
2020094698.tif 000002
【特許請求の範囲】
【請求項１】
圧縮機（２１）、放熱器（２４、３１）、膨張機構（２５）及び蒸発器（３１、２４）が接続されることによって構成された冷媒回路（１０）を有しており、不均化反応を起こす性質のフッ化炭化水素を含む冷媒が冷凍機油とともに前記冷媒回路に封入された冷凍装置において、
前記冷媒回路は、前記冷凍機油を溜める油溜まり部（２１ｂ、２２ｂ）と、前記圧縮機の吐出側における前記冷媒が前記不均化反応を起こす前の条件を満たす場合に前記油溜まり部に溜まった前記冷凍機油を油冷却器（４４）で冷却して前記圧縮機に供給する油インジェクション回路（４１）と、を有している、
冷凍装置（１）。
【請求項２】
前記油溜まり部（２１ｂ）は、前記圧縮機の底部である、
請求項１に記載の冷凍装置。
【請求項３】
前記冷媒回路は、前記圧縮機の吐出側における前記冷媒中から前記冷凍機油を分離する油分離器（２２）をさらに有しており、
前記油溜まり部（２２ｂ）は、前記油分離器の底部である、
請求項１に記載の冷凍装置。
【請求項４】
前記油分離器には、分離された前記冷凍機油を前記圧縮機に戻す油戻し回路（２２ａ）が接続されており、
前記油インジェクション回路は、前記油溜まり部から前記冷凍機油を抜き出すように前記油分離器に接続されており、
前記油戻し回路は、前記油インジェクション回路が接続された高さ位置よりも上側の高さ位置から前記冷凍機油を抜き出すように前記油分離器に接続されている、
請求項３に記載の冷凍装置。
【請求項５】
前記油冷却器に前記冷凍機油の冷却源となる空気を送るファン（２６）をさらに有している、
請求項１〜４のいずれか１項に記載の冷凍装置。
【請求項６】
前記ファンは、前記放熱器又は前記蒸発器にも前記空気を送る、
請求項５に記載の冷凍装置。
【請求項７】
前記冷媒回路の動作を制御する制御部（１９）をさらに有しており、
前記油インジェクション回路は、前記制御部によって制御される油流量調節弁（４６）を有しており、
前記制御部は、前記圧縮機の吐出側における前記冷媒の温度に応じて前記油流量調節弁の開度を制御する、
請求項１〜６のいずれか１項に記載の冷凍装置。
【請求項８】
前記冷媒は、ＨＦＯ−１１２３を含んでいる、
請求項１〜７のいずれか１項に記載の冷凍装置。
【発明の詳細な説明】
【技術分野】
【０００１】
本発明は、冷凍装置に関する。
【背景技術】
【０００２】
従来より、冷凍装置の冷媒回路に封入される冷媒として、オゾン層の破壊を防止するために、ＨＦＣ−３２（ジフルオロメタン）や、ＨＦＣ−３２及びＨＦＣ−１２５（ペンタフルオロエタン）の混合物からなるＨＦＣ−４１０Ａ、等が使用されている。しかし、これらの冷媒は、ＧＷＰ（地球温暖化係数）が大きいという問題がある。
【０００３】
これに対して、特許文献１（国際公開第２０１２／１５７７６４号）に示されたＨＦＯ−１１２３（１、１、２−トリフルオロエチレン）を含む冷媒は、オゾン層及び地球温暖化に対する影響が少ないことが知られている。そして、特許文献１では、このような冷媒を冷凍機油とともに冷媒回路に封入して空気調和装置を構成することが示されている。
【発明の概要】
【発明が解決しようとする課題】
【０００４】
しかし、特許文献１に示された冷媒は、高圧、高温の条件下で何らかのエネルギーが付与されると、不均化反応（自己分解反応）を起こす性質を有している。そして、冷媒回路で冷媒が不均化反応を起こすと、急激な圧力上昇や急激な温度上昇が発生し、これにより、冷媒回路を構成する機器や配管が損傷してしまい、安定した運転を行えないおそれがある。特に、圧縮機から吐出された冷媒は、高圧、高温の状態になるため、不均化反応を起こすおそれが高い。
【０００５】
本発明の課題は、冷媒回路に不均化反応を起こす性質のフッ化炭化水素を含む冷媒が冷凍機油とともに封入された冷凍装置において、不均化反応を起こすおそれを少なくして、安定した運転を行えるようにすることにある。
【課題を解決するための手段】
【０００６】
第１の観点にかかる冷凍装置は、圧縮機、放熱器、膨張機構及び蒸発器が接続されることによって構成された冷媒回路を有しており、不均化反応を起こす性質のフッ化炭化水素を含む冷媒が冷凍機油とともに冷媒回路に封入されている。そして、ここでは、冷媒回路が、冷凍機油を溜める油溜まり部と、圧縮機の吐出側における冷媒が不均化反応を起こす前の条件を満たす場合に油溜まり部に溜まった冷凍機油を油冷却器で冷却して圧縮機に供給する油インジェクション回路と、を有している。ここで、油インジェクション回路からの冷凍機油は、圧縮機の吸入側に供給されてもよいし、圧縮機の圧縮行程の途中に供給されてもよい。
【０００７】
ここでは、上記のように、油溜まり部及び油インジェクション回路を有しているため、圧縮機の吐出側における冷媒が不均化反応を起こす前に、冷凍機油を冷却して圧縮機に供給することができ、圧縮機の吐出側における冷媒の温度上昇を抑えることができる。
【０００８】
これにより、ここでは、圧縮機の吐出側における冷媒の温度上昇を抑えることで不均化反応を起こすことを未然に防ぎ、安定した運転を行うことができる。
【０００９】
第２の観点にかかる冷凍装置は、第１の観点にかかる冷凍装置において、油溜まり部が、圧縮機の底部である。
【００１０】
ここでは、上記のように、圧縮機の底部を油溜まり部にしているため、圧縮機の底部に溜まった冷凍機油を冷却して圧縮機に供給することができる。このため、ここでは、油インジェクション回路を通じて圧縮機に供給される冷凍機油を溜めるための別容器が不要となる。
【００１１】
第３の観点にかかる冷凍装置は、第１の観点にかかる冷凍装置において、冷媒回路が、圧縮機の吐出側における冷媒中から冷凍機油を分離する油分離器をさらに有している。そして、ここでは、油溜まり部が、油分離器の底部である。
【００１２】
ここでは、上記のように、圧縮機の吐出側に設けられる油分離器の底部を油溜まり部にしているため、油分離器に溜まった冷凍機油を冷却して圧縮機に供給することができる。このため、ここでは、油インジェクション回路を通じて圧縮機に供給される冷凍機油を溜めるための別容器が不要となる。
【００１３】
第４の観点にかかる冷凍装置は、第３の観点にかかる冷凍装置において、油分離器には、分離された冷凍機油を圧縮機に戻す油戻し回路が接続されており、油インジェクション回路が、油溜まり部から冷凍機油を抜き出すように油分離器に接続されている。ここで、油戻し回路は、油インジェクション回路が接続された高さ位置よりも上側の高さ位置から冷凍機油を抜き出すように油分離器に接続されている。
【００１４】
ここでは、上記のように、油インジェクション回路が接続された高さ位置よりも上側の高さ位置から冷凍機油を抜き出すように油戻し回路を油分離器に接続しているため、油分離器のうち油戻し回路が接続された高さ位置よりも下側の部分を油溜まり部として機能させることができる。このため、ここでは、油分離器で分離された冷凍機油を圧縮機に戻す油戻し回路の機能を損なうことなく、油インジェクション回路を通じて圧縮機に供給される冷凍機油を油分離器の底部に溜めることができる。
【００１５】
第５の観点にかかる冷凍装置は、第１〜第４の観点のいずれかにかかる冷凍装置において、油冷却器に冷凍機油の冷却源となる空気を送るファンをさらに有している。
【００１６】
ここでは、空冷式の油冷却器によって冷凍機油を冷却することができる。
【００１７】
第６の観点にかかる冷凍装置は、第５の観点にかかる冷凍装置において、ファンが、放熱器又は蒸発器にも空気を送る。
【００１８】
ここでは、放熱器又は蒸発器に空気を送るファンと油冷却器に空気を送るファンとを兼用することができる。そして、この構成は、空冷式の冷凍装置の場合に好ましい。
【００１９】
第７の観点にかかる冷凍装置は、第１〜第６の観点のいずれかにかかる冷凍装置において、冷媒回路の動作を制御する制御部をさらに有しており、油インジェクション回路が制御部によって制御される油流量調節弁を有している。そして、制御部は、圧縮機の吐出側における冷媒の温度に応じて油流量調節弁の開度を制御する。
【００２０】
ここでは、上記のように、油インジェクション回路に油流量調節弁を設けて圧縮機の吐出側における冷媒の温度に応じて開度を制御することによって、圧縮機の吐出側における冷媒の温度上昇を抑えるのに適した量の冷凍機油を圧縮機に供給することができる。このため、ここでは、油インジェクション回路から圧縮機の吐出側における冷媒の温度上昇を確実に抑えることができる。
【００２１】
第８の観点にかかる冷凍装置は、第１〜第７の観点のいずれかにかかる冷凍装置において、冷媒が、ＨＦＯ−１１２３を含んでいる。
【００２２】
ＨＦＯ−１１２３は、不均化反応を起こす性質のフッ化炭化水素の一種であり、沸点等がＨＦＣ−３２やＨＦＣ−４１０Ａに近い性質を有している。このため、ＨＦＯ−１１２３を含む冷媒は、ＨＦＣ−３２やＨＦＣ−４１０Ａの代替冷媒として使用することができる。
【００２３】
このように、ここでは、ＨＦＯ−１１２３を含む冷媒を、ＨＦＣ−３２やＨＦＣ−４１０Ａの代替冷媒として使用するとともに、圧縮機の吐出側における冷媒の温度上昇を抑えることで不均化反応を起こすことを未然に防ぎ、安定した運転を行うことができる。
【発明の効果】
【００２４】
以上の説明に述べたように、本発明によれば、圧縮機の吐出側における冷媒が不均化反応を起こす前に、油溜まり部に溜まった冷凍機油を油インジェクション回路によって冷却して圧縮機に供給してすることができるため、圧縮機の吐出側における冷媒の温度上昇を抑えることで不均化反応を起こすことを未然に防ぎ、安定した運転を行うことができる。
【図面の簡単な説明】
【００２５】
【図１】本発明の一実施形態にかかる冷凍装置としての空気調和装置の概略構成図である。
【図２】冷媒が不均化反応を起こす圧力及び温度の関係を示す図である。
【図３】圧縮機の概略断面図である。
【図４】冷媒が不均化反応を起こす前の条件としての閾温度を示す図である。
【図５】変形例１にかかる冷凍装置としての空気調和装置の概略構成図である。
【図６】変形例２にかかる冷凍装置としての空気調和装置の概略構成図である。
【図７】変形例２における油分離器の概略縦断面図である。
【図８】変形例３にかかる冷凍装置としての空気調和装置の概略構成図である。
【図９】変形例４にかかる冷凍装置としての空気調和装置の概略構成図である。
【発明を実施するための形態】
【００２６】
以下、本発明にかかる冷凍装置の実施形態について、図面に基づいて説明する。尚、本発明にかかる冷凍装置の実施形態の具体的な構成は、下記の実施形態及びその変形例に限られるものではなく、発明の要旨を逸脱しない範囲で変更可能である。
【００２７】
（１）基本構成
図１は、本発明の一実施形態にかかる冷凍装置としての空気調和装置１の概略構成図である。
【００２８】
＜全体＞
空気調和装置１は、蒸気圧縮式の冷凍サイクルを行うことによって、建物等の室内の冷房や暖房を行うことが可能な装置である。空気調和装置１は、主として、室外ユニット２と、室内ユニット３と、室外ユニット２と室内ユニット３を接続する液冷媒連絡管４及びガス冷媒連絡管５と、室外ユニット２及び室内ユニット３の構成機器を制御する制御部１９と、を有している。そして、空気調和装置１の蒸気圧縮式の冷媒回路１０は、室外ユニット２と、室内ユニット３と、が冷媒連絡管４、５を介して接続されることによって構成されている。冷媒回路１０には、冷媒とともに冷凍機油が封入されている。
【００２９】
＜室内ユニット＞
室内ユニット３は、室内に設置されており、冷媒回路１０の一部を構成している。室内ユニット３は、主として、室内熱交換器３１と、室内ファン３２と、を有している。
【００３０】
室内熱交換器３１は、液冷媒連絡管４及びガス冷媒連絡管５を通じて室外ユニット２とやりとりされる冷媒と室内空気との熱交換を行う熱交換器である。室内熱交換器３１の液側は、液冷媒連絡管４に接続されており、室内熱交換器３１のガス側は、ガス冷媒連絡管５に接続されている。
【００３１】
室内ファン３２は、室内空気を室内熱交換器３１に送るファンである。室内ファン３２は、室内ファン用モータ３２ａによって駆動される。
【００３２】
＜室外ユニット＞
室外ユニット２は、室外に設置されており、冷媒回路１０の一部を構成している。室外ユニット２は、主として、圧縮機２１と、油分離器２２と、四路切換弁２３と、室外熱交換器２４と、膨張機構としての膨張弁２５と、室外ファン２６と、を有している。
【００３３】
圧縮機２１は、冷媒を圧縮するための機器であり、例えば、容積式の圧縮要素（図１においては、図示せず）が圧縮機用モータ２１ａによって回転駆動される圧縮機が使用される。圧縮機２１の吸入側には、吸入管１１が接続されており、圧縮機２１の吐出側には、吐出管１２が接続されている。吸入管１１は、四路切換弁２２に接続されている。
【００３４】
油分離器２２は、圧縮機２１の吐出側における冷媒中から冷凍機油を分離するための機器である。油分離器２２は、吐出管１２に設けられている。ここで、吐出管１２は、圧縮機２１の吐出側における冷媒を油分離器２２に送る第１吐出管１２ａと、油分離器２２において冷凍機油が分離された後の冷媒を下流側（ここでは、四路切換弁２３）に送る第２吐出管１２ｂと、を有している。油分離器２２には、冷媒中から分離された冷凍機油を圧縮機２１に戻す油戻し回路２２ａが接続されている。ここで、油戻し回路２２ａは、吸入管１１に接続されている。このため、ここでは、油分離器２２において冷媒中から分離された冷凍機油は、油戻し回路２２ａを通じて圧縮機２１の吸入側に戻されるようになっている。
【００３５】
室外熱交換器２４は、液冷媒連絡管４及びガス冷媒連絡管５を通じて室内ユニット３とやりとりされる冷媒と室外空気との熱交換を行う熱交換器である。室外熱交換器２４の液側には、液冷媒管１５に接続されており、室外熱交換器２４のガス側は、第１ガス冷媒管１３に接続されている。液冷媒管１５は、液冷媒連絡管４に接続されている。第１ガス冷媒管１３は、四路切換弁２２に接続されている。
【００３６】
膨張弁２５は、冷媒を減圧する電動弁であり、液冷媒管１５に設けられている。
【００３７】
四路切換弁２３は、冷媒回路１０における冷媒の循環方向を切り換える弁機構である。四路切換弁２３は、室外熱交換器２４を冷媒の放熱器として機能させる場合（以下、「放熱状態」とする）に、圧縮機２１の吐出側（ここでは、吐出管１２）と室外熱交換器２４のガス側（ここでは、第１ガス冷媒管１３）とを接続し、かつ、圧縮機２１の吸入側（ここでは、吸入管１１）とガス冷媒連絡管５側（ここでは、第２ガス冷媒管１４）とを接続する（図１の四路切換弁２３の実線を参照）。ここで、第２ガス冷媒管１４は、四路切換弁２３及びガス冷媒連絡管５に接続されている。また、四路切換弁２３は、室外熱交換器２４を冷媒の蒸発器として機能させる場合（以下、「蒸発状態」とする）に、圧縮機２１の吐出側（ここでは、吐出管１２）とガス冷媒連絡管５側（ここでは、第２ガス冷媒管１４）とを接続し、かつ、圧縮機２１の吸入側（ここでは、吸入管１１）と室外熱交換器２３のガス側（ここでは、第１ガス冷媒管１３）とを接続する（図１の四路切換弁２３の破線を参照）。
【００３８】
室外ファン２６は、室外空気を室外熱交換器２４に送るファンである。室外ファン２６は、室外ファン用モータ２６ａによって駆動される。
【００３９】
＜冷媒連絡管＞
冷媒連絡管４、５は、空気調和装置１を建物等の設置場所に設置する際に、現地にて施工される冷媒管であり、冷媒回路１０の一部を構成している。
【００４０】
＜制御部＞
制御部１９は、室外ユニット２や室内ユニット３に設けられた制御基板等（図示せず）が通信接続されることによって構成されている。尚、図１においては、便宜上、室外ユニット２や室内ユニット３とは離れた位置に図示している。制御部１９は、空気調和装置１（ここでは、室外ユニット２や室内ユニット３）の構成機器２１、２３、２５、２６、３１、３２等の制御、すなわち、空気調和装置１全体の運転制御を行うようになっている。
【００４１】
＜冷媒回路に封入される冷媒＞
冷媒回路１０には、不均化反応を起こす性質のフッ化炭化水素を含む冷媒が冷凍機油とともに封入されている。このような冷媒として、オゾン層及び地球温暖化への影響がともに少なく、ＯＨラジカルによって分解されやすい炭素−炭素二重結合を有するエチレン系のフッ化炭化水素（ヒドロフルオロオレフィン）がある。そして、ここでは、ヒドロフルオロオレフィン（ＨＦＯ）の中でも、沸点等がＨＦＣ−３２やＨＦＣ−４１０Ａに近い性質を有しており、優れた性能を有するＨＦＯ−１１２３を含む冷媒が採用されている。このため、ＨＦＯ−１１２３を含む冷媒は、ＨＦＣ−３２やＨＦＣ−４１０Ａの代替冷媒として使用することができるものである。
【００４２】
例えば、ＨＦＯ−１１２３を含む冷媒として、ＨＦＯ−１１２３単独、又は、ＨＦＯ−１１２３と他の冷媒との混合物が使用される。そして、ＨＦＯ−１１２３と他の冷媒との混合物としては、ＨＦＯ−１１２３とＨＦＣ−３２との混合物がある。ここで、ＨＦＯ−１１２３とＨＦＣ−３２の組成（ｗｔ％）は、４０：６０である。また、ＨＦＯ−１１２３、ＨＦＣ−３２及びＨＦＯ−１２３４ｙｆ（２、３、３、３−テトラフルオロプロペン）の混合物がある。ここで、ＨＦＯ−１１２３、ＨＦＣ−３２及びＨＦＯ−１２３４ｙｆの組成（ｗｔ％）は、４０：４４：１６である。
【００４３】
このようなＨＦＯ−１１２３を含む冷媒では、性能を向上させる成分としてＨＦＣの一種であるＨＦＣ−３２が混合されているが、オゾン層及び地球温暖化への影響ができるだけ少なくなるように、炭素数が５以下のＨＦＣとすることが好ましい。具体的には、ＨＦＣ−３２の他、ジフルオロエタン、トリフルオロエタン、テトラフルオロエタン、ＨＦＣ−１２５、ペンタフルオロプロパン、ヘキサフルオロプロパン、ヘプタフルオロプロパン、ペンタフルオロブタン、ヘプタフルオロブタン等がある。これらの中でオゾン層及び地球温暖化への影響がともに少なくできるものとしては、ＨＦＣ−３２、１、１−ジフルオロエタン（ＨＦＣ−１５２ａ）、１、１、２、２−テトラフルオロエタン（ＨＦＣ−１３４）、及び、１、１、１、２−テトラフルオロエタン（ＨＦＣ−１３４ａ）がある。尚、ＨＦＯ−１１２３への混合に際しては、これらのＨＦＣを１種類だけ混合させてもよいし、２種類以上を混合させてもよい。また、ＨＦＯ−１１２３に混合させる冷媒としては、分子中のハロゲンの割合が多く、燃焼性が抑えられたヒドロクロロフルオロオレフィン（ＨＣＦＯ）を混合させてもよい。具体的には、１−クロロ−２、３、３、３−テトラフルオロプロペン（ＨＣＦＯ−１２２４ｙｄ）、１−クロロ−２、２−ジフルオロエチレン（ＨＣＦＯ−１１２２）、１、２−ジクロロフルオロエチレン（ＨＣＦＯ−１１２１）、１−クロロ−２−フルオロエチレン（ＨＣＦＯ−１１３１）、２−クロロ−３、３、３−トリフルオロプロペン（ＨＣＦＯ−１２３３ｘｆ）、及び、１−クロロ−３、３、３−トリフルオロプロペン（ＨＣＦＯ−１２３３ｚｄ）がある。これらの中で優れた性能を有するものとしては、ＨＣＦＯ−１２２４ｙｄがあり、また、高い臨界温度、耐久性及び成績係数が優れたものとしては、ＨＣＦＯ−１２３３ｚｄがある。尚、ＨＦＯ−１１２３への混合に際しては、これらのＨＣＦＯやＨＣＦＣを１種類だけ混合させてもよいし、２種類以上を混合させてもよい。さらに、ＨＦＯ−１１２３に混合させる冷媒として、他の炭化水素やＣＦＯなどを使用してもよい。
【００４４】
また、不均化反応を起こす性質のフッ化炭化水素は、ＨＦＯ−１１２３に限定されるものではなく、他のＨＦＯであってもよい。例えば、３、３、３−トリフルオロプロペン（ＨＦＯ−１２４３ｚｆ）、１、３、３、３−テトラフルオロプロペン（ＨＦＯ−１２３４ｚｅ）、２−フルオロプロペン（ＨＦＯ−１２６１ｙｆ）、ＨＦＯ−１２３４ｙｆ、１、１、２−トリフルオロプロペン（ＨＦＯ−１２４３ｙｃ）、１、２、３、３、３−ペンタフルオロプロペン（ＨＦＯ−１２２５ｙｅ）、トランス−１、３、３、３−テトラフルオロプロペン（ＨＦＯ−１２３４ｚｅ（Ｅ））、及び、シス−１、３、３、３−テトラフルオロプロペン（ＨＦＯ−１２３４ｚｅ（Ｚ））のうち、不均化反応を起こす性質を有するエチレン系のフッ化炭化水素を使用してもよい。また、不均化反応を起こす性質のフッ化炭化水素として、炭素−炭素二重結合を有するエチレン系のフッ化炭化水素ではなく、炭素−炭素三重結合を有するアセチレン系のフッ化炭化水素であって不均化反応を起こす性質を有するものを使用してもよい。
【００４５】
（２）基本動作
空気調和装置１では、基本動作として、冷房運転及び暖房運転が行われる。尚、冷房運転及び冷房運転は、制御部１９によって行われる。
【００４６】
＜冷房運転＞
冷房運転時は、四路切換弁２３が放熱状態（図１の実線で示される状態）に切り換えられる。冷媒回路１０において、冷凍サイクルの低圧のガス冷媒は、圧縮機２１に吸入され、冷凍サイクルの高圧になるまで圧縮された後に吐出される。圧縮機２１から吐出された高圧のガス冷媒は、油分離器２２に送られる。油分離器２２に送られた高圧のガス冷媒は、油分離器２２において、冷凍機油が分離され、四路切換弁２３を通じて、室外熱交換器２４に送られる。一方、油分離器２２において分離された冷凍機油は、油戻し回路２２ａを通じて、圧縮機２１の吸入側に戻される。室外熱交換器２４に送られた高圧のガス冷媒は、室外熱交換器２４において、室外ファン２６によって冷却源として供給される室外空気と熱交換を行って放熱して、高圧の液冷媒になる。室外熱交換器２４において放熱した高圧の液冷媒は、膨張弁２５に送られる。膨張弁２５に送られた高圧の液冷媒は、膨張弁２５によって冷凍サイクルの低圧まで減圧されて、低圧の気液二相状態の冷媒になる。膨張弁２５で減圧された低圧の気液二相状態の冷媒は、液冷媒連絡管４を通じて、室内熱交換器３１に送られる。室内熱交換器３１に送られた低圧の気液二相状態の冷媒は、室内熱交換器３１において、室内ファン３２によって加熱源として供給される室内空気と熱交換を行って蒸発する。これにより、室内空気は冷却され、その後に、室内に供給されることで室内の冷房が行われる。室内熱交換器３１において蒸発した低圧のガス冷媒は、ガス冷媒連絡管５及び四路切換弁２３を通じて、再び、圧縮機２１に吸入される。
【００４７】
＜暖房運転＞
暖房運転時には、四路切換弁２３が蒸発状態（図１の破線で示される状態）に切り換えられる。冷媒回路１０において、冷凍サイクルの低圧のガス冷媒は、圧縮機２１に吸入され、冷凍サイクルの高圧になるまで圧縮された後に吐出される。圧縮機２１から吐出された高圧のガス冷媒は、油分離器２２に送られる。油分離器２２に送られた高圧のガス冷媒は、油分離器２２において、冷凍機油が分離され、四路切換弁２３及びガス冷媒連絡管５を通じて、室内熱交換器３１に送られる。一方、油分離器２２において分離された冷凍機油は、油戻し回路２２ａを通じて、圧縮機２１の吸入側に戻される。室内熱交換器３１に送られた高圧のガス冷媒は、室内熱交換器３１において、室内ファン３２によって冷却源として供給される室内空気と熱交換を行って放熱して、高圧の液冷媒になる。これにより、室内空気は加熱され、その後に、室内に供給されることで室内の暖房が行われる。室内熱交換器３１で放熱した高圧の液冷媒は、液冷媒連絡管４を通じて、膨張弁２５に送られる。膨張弁２５に送られた高圧の液冷媒は、膨張弁２５によって冷凍サイクルの低圧まで減圧されて、低圧の気液二相状態の冷媒になる。膨張弁２５で減圧された低圧の気液二相状態の冷媒は、室外熱交換器２４に送られる。室外熱交換器２４に送られた低圧の気液二相状態の冷媒は、室外熱交換器２４において、室外ファン２６によって加熱源として供給される室外空気と熱交換を行って蒸発して、低圧のガス冷媒になる。室外熱交換器２４で蒸発した低圧のガス冷媒は、四路切換弁２３を通じて、再び、圧縮機２１に吸入される。
【００４８】
（３）冷媒の不均化反応への対策（吐出冷媒の温度上昇を抑制するための構成）
上記のような不均化反応を起こす性質のフッ化炭化水素を含む冷媒は、高圧、高温の条件下で何らかのエネルギーが付与されると、不均化反応を起こすおそれがある。図２は、冷媒が不均化反応を起こす圧力及び温度の関係を示す図である。図２の曲線は、冷媒が不均化反応を起こす圧力及び温度の境界を示しており、この曲線上及び上側の領域では冷媒が不均化反応を起こし、この曲線よりも下側の領域では冷媒が不均化反応を起こさないことを示している。そして、冷媒回路１０において、冷媒の圧力や温度が高圧、高温になり、図２の曲線上及び上側の不均化反応を起こす領域まで達すると、冷媒回路１０で冷媒が不均化反応を起こして、急激な圧力上昇や急激な温度上昇が発生し、これにより、冷媒回路１０を構成する機器や配管が損傷してしまい、安定した運転が行えないおそれがある。      
【００４９】
特に、圧縮機２１から吐出された冷媒は、高圧、高温の状態になるため、不均化反応を起こすおそれが高い。
【００５０】
そこで、ここでは、以下に説明するように、冷媒回路１０に、冷凍機油を溜める油溜まり部と、圧縮機２１の吐出側における冷媒が不均化反応を起こす前の条件を満たす場合に油溜まり部に溜まった冷凍機油を油冷却器で冷却して圧縮機２１に供給する油インジェクション回路と、を設けるようにしている。
【００５１】
＜構成及び制御＞
冷媒回路１０は、上記のように、冷凍機油を溜める油溜まり部２１ｂと、圧縮機２１の吐出側における冷媒が不均化反応を起こす前の条件を満たす場合に油溜まり部２１ｂに溜まった冷凍機油を油冷却器４４で冷却して圧縮機２１に供給する油インジェクション回路４１と、を有している。
【００５２】
油溜まり部２１ｂは、ここでは、圧縮機２１の底部に形成されている。具体的には、圧縮機２１は、図３に示すように、円筒形状のケーシング２１ｃ内に、スクロール式の圧縮要素２１ｄ及び圧縮機用モータ２１ａが収容された密閉式構造の圧縮機である。尚、圧縮要素２１ｄは、スクロール式の圧縮要素に限定されるものではなく、ロータリ式等の他の容積式の圧縮要素であってもよい。この圧縮機２１では、吸入管１１が圧縮要素２１ｄに直接的に低圧のガス冷媒を吸入させるように接続されており、吐出管１２が圧縮要素２１ｄで圧縮された後の高圧のガス冷媒をケーシング２１ｃ内の空間を通じて吐出させるように接続されている。このため、圧縮機２１は、ケーシング２１ｃ内の空間が圧縮要素２１ｄで圧縮された高圧のガス冷媒で満たされる型、いわゆる、高圧ドーム型の圧縮機を構成している。そして、ここでは、ケーシング２１ｃの底部が、高圧のガス冷媒と同じ圧力の冷凍機油を溜める油溜まり部２１ｂを形成している。
【００５３】
油インジェクション回路４１は、室外ユニット２に設けられており、主として、油インジェクション管４２と、油インジェクション弁４３と、油冷却器４４と、油キャピラリチューブ４５と、を有している。
【００５４】
油インジェクション管４２は、その一端が油溜まり部２１ｂから冷凍機油を抜き出すように圧縮機２１に接続されており、他端が冷凍機油を圧縮機２１の吸入側に供給するように吸入管１１に接続されている。
【００５５】
油インジェクション弁４３は、制御部１９によって開閉状態が制御される電磁弁であり、油インジェクション管４２に設けられている。
【００５６】
油冷却器４４は、油インジェクション管４２を流れる冷凍機油を冷却する熱交換器である。ここで、油冷却器４４は、空気との熱交換によって冷凍機油を冷却する熱交換器である。具体的には、油冷却器４４は、室外ファン２６によって室外熱交換器２４に送られる室外空気の通風路に配置されており、冷凍機油と室外空気との熱交換によって冷凍機油を冷却するようになっている。すなわち、室外熱交換器２４に室外空気を送る室外ファン２６は、油冷却器４４にも冷凍機油の冷却源となる空気も送るようになっている。尚、油冷却器４４は、室外熱交換器２４と別体の熱交換器であってもよいし、室外熱交換器２４と一体の熱交換器であってもよい。また、油冷却器４４は、油インジェクション弁４３が閉状態にされている際に油冷却器４４に冷凍機油が溜まることを極力防ぐために、油インジェクション弁４３の下流側に配置されている。但し、油冷却器４４の容積が小さい等の理由で油冷却器４４に溜まり得る冷凍機油の量が少量である場合には、油冷却器４４が油インジェクション弁４３の上流側に配置されていてもよい。
【００５７】
油キャピラリチューブ４５は、油インジェクション管４２を流れる冷凍機油を減圧する機構である。ここで、油キャピラリチューブ４５は、油冷却器４４の下流側に配置されており、これにより、油溜まり部２１ｂから抜き出された冷凍機油を極力減圧せずに高い温度で油冷却器４４に流入させることによって冷却効果を高めるようにしている。但し、冷凍機油が減圧された後であっても十分な冷却効果が得られる場合には、油キャピラリチューブ４５が油冷却器４４の上流側に配置されていてもよい。
【００５８】
また、室外ユニット２には、圧縮機２１の吐出側における冷媒の温度を検出する吐出冷媒センサ４９が設けられている。
【００５９】
そして、ここでは、上記の基本動作（ここでは、冷房運転や暖房運転）時において、圧縮機２１の吐出側における冷媒が不均化反応を起こす条件を満たす前の条件を満たす場合に、油インジェクション弁４３が閉状態から開状態になるように作動することによって、油溜まり部２１ｂに溜まった冷凍機油を油冷却器４４で冷却して圧縮機２１（ここでは圧縮機２１の吸入側）に供給する。
【００６０】
ここで、圧縮機２１の吐出側における冷媒が不均化反応を起こす条件を満たす前の条件としては、圧縮機２１の吐出側における冷媒の温度が、冷媒が不均化反応を起こす温度の下限値（すなわち、図２において、冷媒が不均化反応を起こす圧力及び温度の境界を示す曲線上の温度値）に対して余裕を持った温度に対応する閾温度ＴＨとすることができる。例えば、閾温度ＴＨは、図４に示すように、冷媒が不均化反応を起こす圧力及び温度の境界を示す曲線（実線）よりも下側の曲線（破線）を基準にした温度値とすることができる。例えば、閾温度ＴＨは、冷媒回路１０の最高使用圧力ＰＸにおいて冷媒が不均化反応を起こす前の温度の基準値とすることができる。ここで、冷媒が不均化反応を起こす前の条件を示す曲線（破線）は、冷媒が不均化反応を起こす条件を示す曲線（実線）の圧力及び温度よりも１０％〜３０％程度小さい圧力や温度になるように設定される。また、この温度値が冷媒回路１０の最高使用温度ＴＸに近い場合には、閾温度ＴＨが最高使用温度ＴＸであってもよい。尚、冷媒回路１０の最高使用温度ＴＸ及び最高使用圧力ＰＸは、冷媒回路１０（すなわち、冷媒回路１０を構成する機器や配管）の設計強度上の観点で規定された使用上限の圧力及び温度である。
【００６１】
そして、圧縮機２１の吐出側における冷媒の温度（ここでは、吐出冷媒センサ４９によって検出される冷媒の温度）が閾温度ＴＨに達するまでは、制御部１９によって、油インジェクション弁４３が閉状態にされる（図４の油インジェクション弁閉の領域を参照）。すなわち、圧縮機２１の吐出側における冷媒の温度が閾温度ＴＨに達するまでは、圧縮機２１の吐出側における冷媒が不均化反応を起こす前の条件を満たさないため、油インジェクション回路４１を使用することなく、上記の基本動作が行われる。
【００６２】
しかし、圧縮機２１の吐出側における冷媒の温度が閾温度ＴＨに達すると、圧縮機２１の吐出側における冷媒が不均化反応を起こす前の条件を満たすため、制御部１９によって、油インジェクション弁４３が開状態にされる（図４の油インジェクション弁開の領域を参照）。そうすると、油溜まり部２１ｂから冷凍機油が抜き出される。油溜まり部２１ｂから抜き出された冷凍機油は、油冷却器４４において、室外ファン２６によって加熱源として供給される室外空気と熱交換を行って冷却される。油冷却器４４において冷却された冷凍機油は、油キャピラリチューブ４５で減圧された後に、圧縮機２１（ここでは、圧縮機２１の吸入側）に供給される。圧縮機２１においては、冷却された冷凍機油を冷媒にインジェクションすることによって冷却されるため、圧縮機２１から吐出される冷媒の温度が低下する。ここで、冷凍機油の混合による冷媒の温度低下の程度は、供給される冷凍機油の温度や流量等によって変化する。例えば、圧縮機２１において圧縮される冷媒の流量の５〜１５％程度の流量の冷凍機油を油冷却器４４において冷凍サイクルにおける冷媒の凝縮温度近くの温度まで冷却した後に圧縮機２１に供給すると、圧縮機２１から吐出される冷媒の温度を５〜２０℃程度低下させることができる。その後、圧縮機２１の吐出側における冷媒の温度が閾温度ＴＨよりも低下すると、制御部１９によって、油インジェクション弁４３が閉状態にされて、油インジェクション回路４１を使用することなく、上記の基本動作が行われる状態に復帰する。すなわち、圧縮機２１の吐出側における冷媒の温度が閾温度ＴＨに達すると、圧縮機２１の吐出側における冷媒が不均化反応を起こす前の条件を満たすため、油インジェクション回路４１が使用されて、圧縮機２１の吐出側における冷媒の温度上昇を抑えつつ、上記の基本動作が行われる。
【００６３】
＜特徴＞
ここでは、上記のように、圧縮機２１、放熱器２４、３１、膨張機構２５、及び、蒸発器３１、２４が接続されることによって構成された冷媒回路１０に不均化反応を起こす性質のフッ化炭化水素を含む冷媒を冷凍機油とともに封入した冷凍装置１において、冷媒回路１０に、冷凍機油を溜める油溜まり部２１ｂと、油インジェクション回路４１と、を設けている。ここで、油インジェクション回路４１は、圧縮機２１の吐出側における冷媒が不均化反応を起こす前の条件を満たす場合に油溜まり部２１ｂに溜まった冷凍機油を油冷却器４４で冷却して圧縮機２１に供給する。
【００６４】
このため、ここでは、圧縮機２１の吐出側における冷媒が不均化反応を起こす前に、冷凍機油を冷却して圧縮機２１に供給することができ、圧縮機２１の吐出側における冷媒の温度上昇を抑えることができる。
【００６５】
これにより、ここでは、圧縮機２１の吐出側における冷媒の温度上昇を抑えることで不均化反応を起こすことを未然に防ぎ、安定した運転を行うことができる。
【００６６】
尚、圧縮機２１の吐出側における冷媒の温度上昇を抑えるという観点では、冷凍機油をインジェクションするのではなく、冷媒回路１０を循環する液冷媒の一部をバイパスしてインジェクションすることも考えられる。しかし、液冷媒をインジェクションすると、液冷媒がバイパスされることで空調能力が低下してしまう。また、圧縮機２１においては、インジェクションされた液冷媒も圧縮する必要があるため、圧縮機動力が増大して、運転効率が低下することになる。これに対して、ここでは、冷凍機油をインジェクションしているため、液冷媒をインジェクションする場合のような空調能力や運転効率の低下がない点で優れている。
【００６７】
また、ここでは、油インジェクション回路４１からの冷凍機油を圧縮機２１の吸入側に供給しているが、これに限定されるものではなく、圧縮機２１の圧縮行程の途中に供給してもよい。
【００６８】
また、ここでは、上記のように、圧縮機２１の底部を油溜まり部２１ｂにしているため、油インジェクション回路４１を通じて圧縮機２１に供給される冷凍機油を溜めるための別容器が不要となる。
【００６９】
また、ここでは、上記のように、油冷却器４４に冷凍機油の冷却源となる空気（ここでは、室外空気）を送るファン２６が設けられている。また、ここでは、ファン２６が冷媒の放熱器や蒸発器として機能する室外熱交換器２４に空気を送る室外ファンである。
【００７０】
このため、ここでは、空冷式の油冷却器４４によって冷凍機油を冷却することができる。また、ここでは、冷媒の放熱器や蒸発器として機能する室外熱交換器２４に空気を送る室外ファン２６を油冷却器４４に空気を送るファンとして兼用することができる。そして、この構成は、空気調和装置１のような空冷式の冷凍装置の場合に好ましい。
【００７１】
尚、空気調和装置１が水冷式の冷凍装置である場合には、油冷却器４４の冷却源を水にしてもよい。
【００７２】
また、不均化反応を起こす性質のフッ化炭化水素を含む冷媒として、ＨＦＯ−１１２３を含む冷媒を使用すれば、ＨＦＣ−３２やＨＦＣ−４１０Ａの代替冷媒とすることができるとともに、圧縮機２１の吐出側における冷媒の温度上昇を抑えることで不均化反応を起こすことを未然に防ぎ、安定した運転を行うことができる。
【００７３】
（４）変形例１
上記実施形態（図１参照）では、油インジェクション回路４１を流れる冷凍機油を減圧する機構として油キャピラリチューブ４５を採用しているが、冷凍機油を減圧する機構は油キャピラリチューブ４５に限定されるものではない。
【００７４】
ここでは、図５に示すように、油キャピラリチューブ４５に代えて、制御部１９によって開度が制御される油流量調節弁４６を採用している。ここで、油流量調節弁４６は電動弁からなる。
【００７５】
この構成では、圧縮機２１の吐出側における冷媒の温度に応じて油流量調節弁４６の開度を制御することができ、これにより、圧縮機２１の吐出側における冷媒の温度上昇を抑えるのに適した量の冷凍機油を圧縮機２１に供給することができる。例えば、閾温度ＴＨに対する圧縮機２１の吐出側における冷媒の温度の温度差が大きい場合には、油流量調節弁４６の開度を大きくし、温度差が小さい場合には、油流量調節弁４６の開度を小さくすることができる。
【００７６】
これにより、ここでは、油インジェクション回路４１から圧縮機２１の吐出側における冷媒の温度上昇を確実に抑えることができる。また、油インジェクション弁４３の開閉状態を制御するだけの場合に比べて、圧縮機２１にインジェクションされる冷凍機油の流量を緩やかに変化させることができ、安定運転に寄与することができる。
【００７７】
尚、上記のように、油インジェクション回路４１に油流量調節弁４６を設ける場合には、油インジェクション弁４３を省略して、油流量調節弁４６の開度制御だけで、冷凍機油のインジェクションを行うようにしてもよい。
【００７８】
（５）変形例２
上記実施形態（図１参照）では、圧縮機２１の底部を油溜まり部２１ｂとしているが、油溜まり部は圧縮機２１の底部に限定されるものではない。
【００７９】
ここでは、図６及び図７に示すように、圧縮機２１の吐出側に設けられる油分離器２２の底部を油溜まり部２２ｂとしている。そして、油インジェクション回路４１は、油溜まり部２２ｂから冷凍機油を抜き出すように油分離器２２に接続されている。このため、ここでは、油インジェクション回路４１が、圧縮機２１の吐出側における冷媒が不均化反応を起こす前の条件を満たす場合に油溜まり部２２ｂに溜まった冷凍機油を油冷却器４４で冷却して圧縮機２１に供給するようになっている。このように、ここでは、油分離器２２の底部を油溜まり部２２ｂとして使用しているため、油インジェクション回路４１を通じて圧縮機２１に供給される冷凍機油を溜めるための別容器が不要となる。
【００８０】
また、ここで油分離器２２には、上記実施形態と同様に、分離された冷凍機油を圧縮機２２に戻す油戻し回路２２ａも接続されているが、油戻し回路２２ａは、油インジェクション回路４１が接続された高さ位置よりも上側の高さ位置から冷凍機油を抜き出すように油分離器２２に接続されている。すなわち、ここでは、油分離器２２のうち油戻し回路２２ａが接続された高さ位置よりも下側の部分が油溜まり部２２ｂとして機能するようになっている。このため、ここでは、油分離器２２で分離された冷凍機油を圧縮機２１に戻す油戻し回路２２ａの機能を損なうことなく、油インジェクション回路４１を通じて圧縮機２１に供給される冷凍機油を油分離器２２の底部に溜めることができる。
【００８１】
（６）変形例３
上記変形例２（図６参照）では、油インジェクション回路４１を流れる冷凍機油を減圧する機構として油キャピラリチューブ４５を採用しているが、冷凍機油を減圧する機構は油キャピラリチューブ４５に限定されるものではない。
【００８２】
ここでは、図８に示すように、油キャピラリチューブ４５に代えて、変形例１（図５参照）と同様の油流量調節弁４６を採用してもよい。
【００８３】
この構成においても、上記変形例１と同様に、圧縮機２１の吐出側における冷媒の温度に応じて油流量調節弁４６の開度を制御することができ、これにより、圧縮機２１の吐出側における冷媒の温度上昇を抑えるのに適した量の冷凍機油を圧縮機２１に供給することができる。
【００８４】
（７）変形例４
上記変形例２、３（図６、８参照）では、油インジェクション回路４１を通じて油分離器２２の油溜まり部２２ｂに溜まっている冷凍機油を圧縮機２１に供給する場合、及び、油インジェクション回路４１を使用しない場合のいずれにおいても、油戻し回路２２ａを通じて油分離器２２の油溜まり部２２ｂに溜まっている冷凍機油を圧縮機２１に戻すようになっている。しかし、この場合には、油戻し回路２２ａを通じて圧縮機２１に戻る冷凍機油の分だけ、油インジェクション回路４１を通じて圧縮機２１に供給される冷凍機油の量が減少するため、圧縮機２１の吐出側における冷媒の温度上昇を抑える効果がいくらか損なわれるおそれがある。
【００８５】
そこで、ここでは、図９に示すように、制御部１９によって開閉状態が制御される油戻し弁２２ｃを油戻し回路２２ａに設けるようにしている。ここで、油戻し弁２２ｃは電磁弁又は電動弁からなる。
【００８６】
この構成では、圧縮機２１の吐出側における冷媒が不均化反応を起こす前の条件を満たすかどうか（油インジェクション回路４１を使用するかどうか）によって、油戻し回路２２ａを使用するかどうかを制御することができる。具体的には、油インジェクション回路４１を使用しない場合には、油戻し弁２２ｃを開状態に制御して油戻し回路２２ａを使用し、油インジェクション回路４１を通じて油分離器２２の油溜まり部２２ｂに溜まっている冷凍機油を圧縮機２１に供給する場合には、油戻し弁２２ｃを閉状態に制御して油戻し回路２２ａを使用しないようにすることができる。
【００８７】
これにより、ここでは、圧縮機２１の吐出側における冷媒が不均化反応を起こす前の条件を満たす場合（油インジェクション回路４１を使用する場合）に、油戻し回路２２ａを使用しないようにして、圧縮機２１の吐出側における冷媒の温度上昇を抑える効果が損なわれないようにすることができる。
【００８８】
（８）変形例５
上記実施形態及び変形例１〜４では、冷房運転及び暖房運転を行う冷暖切替可能な空気調和装置１を例に挙げて、本発明を適用した例を説明したが、本発明を適用可能な冷凍装置は、これに限定されるものではなく、冷房専用の空気調和装置や室内ユニット３が複数接続された室内マルチ式の空気調和装置等のような他の型式の空気調和装置にも適用可能である。
【産業上の利用可能性】
【００８９】
本発明は、冷媒回路に不均化反応を起こす性質のフッ化炭化水素を含む冷媒が冷凍機油とともに封入された冷凍装置に対して、広く適用可能である。
【符号の説明】
【００９０】
１      空気調和装置（冷凍装置）
１０    冷媒回路
１９    制御部
２１    圧縮機
２１ｂ  油溜まり部
２２    油分離器
２２ａ  油戻し回路
２２ｂ  油溜まり部
２４    室外熱交換器（放熱器、蒸発器）
２５    膨張弁（膨張機構）
２６    室外ファン（ファン）
３１    室内熱交換器（蒸発器、放熱器）
４１    油インジェクション回路
４４    油冷却器
４６    油流量調節弁
【先行技術文献】
【特許文献】
【００９１】
【特許文献１】国際公開第２０１２／１５７７６４号
【図１】
2020094698.tif 000003
【図２】
2020094698.tif 000004
【図３】
2020094698.tif 000005
【図４】
2020094698.tif 000006
【図５】
2020094698.tif 000007
【図６】
2020094698.tif 000008
【図７】
2020094698.tif 000009
【図８】
2020094698.tif 000010
【図９】
2020094698.tif 000011